(57)【要約】【課題】医療機関からの求めに応じ、医療情報を保護しつつ、医療機関に配信することが可能な医療情報配信システムを提供することを課題とする。【解決手段】医療情報配信システム１は、複数の医療機関４ａ等から検査業務の委託を受ける健康管理センター５に設置された配信管理サーバ２と、各医療機関４ａ等にそれぞれ設置された電話機７及びファクシミリ８とによって構成される。そして、配信管理サーバ２は、登録者情報記憶手段、医療機関情報記憶手段、医療情報記憶手段、登録電話番号判定手段、メッセージ再生手段、管理番号判定手段、選択要求手段、選択信号受付手段、通話終了手段、医療情報抽出手段、及び選択配信手段を主に具備する。【選択図】図１
2007179117.tif 000002
【特許請求の範囲】
【請求項１】
医療機関からの求めに応じ、登録者が過去に他の医療機関または検査機関で受けた医学的検査の検査結果及び検査履歴に関する医療情報を、配信する配信管理サーバを有する医療情報配信システムであって、
前記配信管理サーバは、
前記登録者に対して予め付与された識別記号、前記登録者の氏名及び性別に係るデータを少なくとも含む登録者情報を登録者情報データベースに記憶する登録者情報記憶手段と、
複数の前記医療機関を識別するために付与された医療機関コード、医療機関名、登録番号、及び配信先ファクシミリ番号を含む医療機関情報を医療機関情報データベースに記憶する医療機関情報記憶手段と、
前記登録者の過去の前記医療情報を集積し、前記登録者情報の前記識別記号に対応させて医療情報データベースに記憶する医療情報記憶手段と、
前記医療機関からの発信者番号通知を伴う架電を、電話回線を通じて受付けるとともに、通知された発信者番号が前記医療機関情報に記憶された前記登録電話番号と合致するか否かを判定する登録電話番号判定手段と、
前記登録電話番号判定手段によって前記発信者番号と前記登録電話番号とが合致すると判定されると、発信先の前記医療機関に対し、前記医療情報の配信を求める前記登録者に対応する前記識別記号の入力を促す音声メッセージを再生するメッセージ再生手段と、
前記音声メッセージに応答し、前記電話回線を通じて入力された前記識別記号が前記登録者情報データベースの前記登録者情報と合致するか否かを判定する識別記号判定手段と、
前記識別記号判定手段によって前記識別番号に該当する前記登録者が含まれていると判定されると、前記医療機関から架けられた通話を終了する通話終了手段と、
前記識別番号に該当する前記登録者の医療情報を前記医療情報データベースから抽出する医療情報抽出手段と、
抽出した前記医療情報を配信先の前記医療機関に係る前記配信先ファクシミリ番号に前記電話回線を通じて配信する医療情報配信手段と
を具備することを特徴とする医療情報配信システム。
【請求項２】
前記配信管理サーバは、
前記識別記号判定手段によって前記識別記号に該当する前記登録者が含まれていると判定されると、所望の前記医療情報の選択に係る入力を前記医療機関に対して要求する選択要求手段と、
前記医療機関から送出された前記医療情報の選択に係る選択信号を受付ける選択信号受付手段と、
前記医療情報を前記選択信号に従って配信する選択配信手段と
をさらに具備することを特徴とする請求項１に記載の医療情報配信システム。
【請求項３】
登録者に対して予め付与された識別記号、前記登録者の氏名及び性別に係るデータを少なくとも含む登録者情報を登録者情報データベースに記憶する登録者情報記憶手段、複数の医療機関を識別するために付与された医療機関コード、医療機関名、登録番号、及び配信先ファクシミリ番号を含む医療機関情報を医療機関情報データベースに記憶する医療機関情報記憶手段、前記登録者が過去に他の医療機関または検査機関で受けた医学的検査に係る検査結果及び検査履歴に関する医療情報を集積し、前記登録者情報の前記識別記号に対応させて医療情報データベースに記憶する医療情報記憶手段、前記医療機関からの発信者番号通知を伴う架電を、電話回線を通じて受付けるとともに、通知された発信者番号が前記医療機関情報に記憶された前記登録電話番号と合致するか否かを判定する登録電話番号判定手段、前記登録電話番号判定手段によって前記発信者番号と前記登録電話番号とが合致すると判定されると、発信先の前記医療機関に対し、前記医療情報の配信を求める前記登録者に対応する前記識別記号の入力を促す音声メッセージを再生するメッセージ再生手段、前記音声メッセージに応答し、前記電話回線を通じて入力された前記識別記号が前記登録者情報データベースの前記登録者情報と合致するか否かを判定する識別記号判定手段、前記識別記号判定手段によって前記識別番号に該当する前記登録者が含まれていると判定されると、前記医療機関から架けられた通話を終了する通話終了手段、前記識別番号に該当する前記登録者の医療情報を前記医療情報データベースから抽出する医療情報抽出手段、及び抽出した前記医療情報を配信先の前記医療機関に係る前記配信先ファクシミリ番号に前記電話回線を通じて配信する医療情報配信手段として、配信管理サーバを機能させることを特徴とする医療情報配信プログラム。
【請求項４】
前記識別記号判定手段によって前記識別記号に該当する前記登録者が含まれていると判定されると、所望の前記医療情報の選択に係る入力を前記医療機関に対して要求する選択要求手段、前記医療機関から送出された前記医療情報の選択に係る選択信号を受付ける選択信号受付手段、及び前記医療情報を前記選択信号に従って配信する選択配信手段として、前記配信管理サーバをさらに機能させることを特徴とする医療情報配信プログラム。
【発明の詳細な説明】
【技術分野】
【０００１】
本発明は、医療情報配信システム及び医療情報配信プログラムに関するものであり、特に、予め登録された複数の医療機関からの求めに応じ、登録者が過去に他の医療機関又は検査機関で受けた医学的検査に係る検査結果及び検査履歴を含む医療情報を、要求先の医療機関に配信する医療情報配信システム及び医療情報配信プログラムに関するものである。
【背景技術】
【０００２】
従来から、多くの医療機関（例えば、病院または診療所等）において、当該医療機関で診察を受ける患者に対し、病名の特定や病状の程度を医師が把握するために、種々の医学的検査を実施している。例えば、医学的検査の一例を挙げると、患者から採血した血液を分析し、当該血液中のヘモグロビンの量や血糖値などを測定する血液検査や、患者から採取した尿を分析し、尿蛋白や尿糖の値を測定する尿検査などが知られている。一方、レントゲン撮影やＭＲＩのような比較的大型の医療検査設備を用いることにより、患者の身体の内部状態を視覚的に認識し、病巣の位置の把握を行うことができる。これらは、一般に非侵襲の検査であり、患者に不要な痛み等を与えることなく、患者の病状等を的確に把握し、その後の治療方針の決定等に用いられている。
【０００３】
上述した医学的検査を実施しようとする場合、国公立の病院、或いは医学部に併設された大学の付属病院、または民間の総合病院のように、施設及び人員が比較的大規模の医療機関では、医学的検査に必要な検査設備及び検査に要するスタッフ等を備え、自らの検査設備のみでほとんど十分な医学的検査を実施することができる。これに対し、個人病院を始めとする中小規模の医療機関では、上述した検査設備を揃えることができず、また係る医学的検査を実施するための十分な人員を備える必要があった。
【０００４】
そこで、これらの十分な検査設備を有しない医療機関では、例えば、提携先の健康管理センター等の各種検査機関に、患者から採取した試料を送付し、医学的検査に係る検査業務を委託し、検査結果を後日受け取ることを行っている。
【０００５】
以上の従来技術は、当業者として当然に実施されているものであり、本願出願人は、係る従来技術が記載された文献等を本願出願時において特に知見するものではない。
【発明の開示】
【発明が解決しようとする課題】
【０００６】
しかしながら、上述した医療機関による医学的検査の実施には、以下に掲げるような問題を生じることがあった。すなわち、個々の医療機関または検査機関で実施される医学的検査に係る検査結果は、当該医療機関が管理し、他の医療機関に対して提供されるものではなかった。特に、この検査結果や検査履歴等の医療情報は、患者の個人情報の一つであり、外部に漏出しないように厳重な管理が必要となるものであった。そのため、医療機関または検査機関等は、係る医療情報の管理を徹底し、患者本人または検査を委託した医療機関以外への検査結果に係る情報の提供を行っていなかった。
【０００７】
そのため、一人の患者が複数の医療機関で診察を受ける場合、それぞれの医療機関において同一の医学的検査を重複して受けるケースが想定された。例えば、一の医療機関で検査を受けた一週間後に、他の医療機関で同様の検査を受けるなど、ほとんど同じタイミングで検査を受けることとなり、検査に要する検査費用及び時間等の大きな無駄を生じていた。
【０００８】
さらに、医療機関では、患者が受診した時の医学的検査に係る検査結果のみしか情報を得ることができないため、例えば、１年前や６ヶ月前に他の医療機関で医学的検査を受けてからの検査結果の数値の値が改善傾向にあるのか、或いは悪化傾向にあるのかなど、経時的な症状の把握をすることが困難であった。
【０００９】
加えて、患者が過去に経験した疾病等の既往歴や他の医療機関を受診した受診履歴等に関する情報は、主に医師が患者に対して問診をすることにより得られるものであり、患者の自己申告に頼ることが大きかった。そのため、問診により得られる情報の信用性が低くなり、治療の際の有用な情報となりえないことがあった。
【００１０】
そこで、患者が過去に受けた医学的検査の検査結果等に係る医療情報を複数の医療機関で共有することにより、上述した課題を解消することが期待されていた。一方、係る医療情報は、重要な個人情報の一つであり、複数の医療機関で共有することによって、医療情報が外部に漏出する危険性も懸念されていた。
【００１１】
そこで、上記実情に鑑み、複数の医療機関で受けた医学的検査の検査結果等に係る医療情報を共有化し、該医療機関の一からの求めに応じ、個人情報である医療情報を保護しつつ、医療機関に配信することが可能な医療情報配信システム及び医療情報配信プログラムを提供することを課題とする。
【課題を解決するための手段】
【００１２】
上記の課題を解決するため、本発明の医療情報配信システムは、「医療機関からの求めに応じ、登録者が過去に他の医療機関または検査機関で受けた医学的検査の検査結果及び検査履歴に関する医療情報を、配信する配信管理サーバを有する医療情報配信システムであって、前記配信管理サーバは、前記登録者に対して予め付与された識別記号、前記登録者の氏名及び性別に係るデータを少なくとも含む登録者情報を登録者情報データベースに記憶する登録者情報記憶手段と、複数の前記医療機関を識別するために付与された医療機関コード、医療機関名、登録番号、及び配信先ファクシミリ番号を含む医療機関情報を医療機関情報データベースに記憶する医療機関情報記憶手段と、前記登録者の過去の前記医療情報を集積し、前記登録者情報の前記識別記号に対応させて医療情報データベースに記憶する医療情報記憶手段と、前記医療機関からの発信者番号通知を伴う架電を、電話回線を通じて受付けるとともに、通知された発信者番号が前記医療機関情報に記憶された前記登録電話番号と合致するか否かを判定する登録電話番号判定手段と、前記登録電話番号判定手段によって前記発信者番号と前記登録電話番号とが合致すると判定されると、発信先の前記医療機関に対し、前記医療情報の配信を求める前記登録者に対応する前記識別記号の入力を促す音声メッセージを再生するメッセージ再生手段と、前記音声メッセージに応答し、前記電話回線を通じて入力された前記識別記号が前記登録者情報データベースの前記登録者情報と合致するか否かを判定する識別記号判定手段と、前記識別記号判定手段によって前記識別番号に該当する前記登録者が含まれていると判定されると、前記医療機関から架けられた通話を終了する通話終了手段と、前記識別番号に該当する前記登録者の医療情報を前記医療情報データベースから抽出する医療情報抽出手段と、抽出した前記医療情報を配信先の前記医療機関に係る前記配信先ファクシミリ番号に前記電話回線を通じて配信する医療情報配信手段と」を主に具備して構成されている。
【００１３】
ここで、配信管理サーバとは、電話回線にモデム等のインターフェイスを介して接続された汎用型のパーソナルコンピュータを利用することが可能であり、内部に設置された記憶媒体の一種であるハードディスクドライブに登録者情報、医療機関情報、及び医療情報等の種々の情報が磁気によって記憶されている。
【００１４】
また、登録電話番号判定手段とは、配信管理サーバに接続された電話回線を通じての架電に対し、登録された医療機関のものか、或いはそれ以外のものかを判定するものである。具体的に説明すると、発信者番号通知システムを利用し、係る架電が医療機関情報に予め記憶された登録電話番号のものか或いはそれ以外のものを判定するものである。なお、医療機関情報に登録された登録電話番号は、一つに限られるものではなく、例えば、病院の代表電話番号、及び医師の携帯電話の番号などを複数登録することも可能である。これにより、医師が携帯電話によって外出先から本発明の医療情報配信システムを利用することにより、外出から帰宅した際に、所望の患者（登録者）の医療情報を入手することが可能となる。
【００１５】
また、医療情報配信手段とは、入力された識別記号によって登録者が特定され、当該登録者の医療情報が医療情報データベースから抽出されると、医療情報の配信要求先、換言すれば、配信管理サーバに対して架電をした医療機関に対し、ファクシミリを利用して医療情報を配信するものである。ここで、抽出された医療情報を、ファクシミリを用いて配信するためには、配信管理サーバに例えば、市販のファクシミリ管理用のソフトウェアをインストールし、係るソフトウェアを起動して必要な医療情報の配信を行うものが想定される。
【００１６】
なお、医療情報データベースに医療情報として登録され、配信可能な医学的検査に係る項目は特に限定されないが、例えば、下記の表１に示すような検査項目を挙げることができる。
【表１】
2007179117.tif 000003
【００１７】
したがって、本発明の医療情報配信システムによれば、発信者番号通知を伴う医療機関からの架電によって、医療情報の配信を要求する配信要求先の医療機関を特定し、さらに予め登録者（患者）に付与された識別記号の入力を受付け、医療機関に配信する医療情報を決定することが可能となる。その後、配信要求先の医療機関からの架電（通話）を終了し、医療機関情報に記憶された配信先ファクシミリ番号に基づいて当該医療情報を、電話回線を通じて配信する。これにより、医療機関の側のファクシミリからは、当該医療情報が紙媒体に出力されることとなる。ここで、発信者番号通知システムを利用することにより、予め登録された医療機関からの架電であるか否かの判定が可能となり、さらに識別記号の入力を要求することにより、配信する医療情報の登録者の特定が可能となる。さらに、医療機関からの架電（通話）を一旦終了し、予め登録した配信先ファクシミリ番号のみに医療情報を配信するため、上述した発信者番号通知及び識別記号の認証が行われたとしても事前の登録先にしか配信されることがなく、医療情報が外部に漏出するようなおそれが少なくなる。その結果、一般の電話回線及び既存の電話及びファクシミリ等の設備のみで本システムの奏する優れた作用を享受することが可能となり、医療機関にとって新たな設備投資のコストが必要となることがない。また、パーソナルコンピュータ等を設置し、複雑な設定を行う必要がなく、これらの操作に不慣れな者であっても本システムの操作方法をすぐに覚えることが可能となる。
【００１８】
なお、医療機関を受診した登録者に対してそれぞれ識別記号を付与する手段としては、例えば、該識別記号が記載された登録者カードを、当該医療機関で配布し、さらに医療機関は登録者に配布した登録者カードに基づいて、配信管理サーバを設置運営し、本システムを管理する管理者（例えば、健康管理センター等）に対し、登録者の氏名、性別、生年月日等の登録者情報を送り、登録手続を採るようなものが想定される。なお、識別記号は、アルファベット及び数字等の組合わせに係るようなものであればよく、一般の電話によって識別記号の入力が可能なように、例えば、複数桁の数字（例えば、１０桁）を用いたものが特に好適と思われる。
【００１９】
さらに、本発明の医療情報配信システムは、上記構成に加え、「前記配信管理サーバは、前記識別記号判定手段によって前記識別記号に該当する前記登録者が含まれていると判定されると、所望の前記医療情報の選択に係る入力を前記医療機関に対して要求する選択要求手段と、前記医療機関から送出された前記医療情報の選択に係る選択信号を受付ける選択信号受付手段と、前記医療情報を前記選択信号に従って配信する選択配信手段と」をさらに具備するものであっても構わない。
【００２０】
したがって、本発明の医療情報配信システムは、登録者の検査結果や検査履歴等が複数存在し、ファクシミリを利用した医療情報の配信では、全てを配信すると配信時間が多く必要となり、出力のために複数枚の紙が必要となる場合などに、所望の医療情報のみ（例えば、直近５回分の検査結果等）の選択を要求し、要求された選択信号に基づいて配信することが可能となる。これにより、無用な配信を避けることができる。
【００２１】
一方、本発明の医療情報配信プログラムは、「登録者に対して予め付与された識別記号、前記登録者の氏名及び性別に係るデータを少なくとも含む登録者情報を登録者情報データベースに記憶する登録者情報記憶手段、複数の医療機関を識別するために付与された医療機関コード、医療機関名、登録番号、及び配信先ファクシミリ番号を含む医療機関情報を医療機関情報データベースに記憶する医療機関情報記憶手段、前記登録者が過去に他の医療機関または検査機関で受けた医学的検査に係る検査結果及び検査履歴に関する医療情報を集積し、前記登録者情報の前記識別記号に対応させて医療情報データベースに記憶する医療情報記憶手段、前記医療機関からの発信者番号通知を伴う架電を、電話回線を通じて受付けるとともに、通知された発信者番号が前記医療機関情報に記憶された前記登録電話番号と合致するか否かを判定する登録電話番号判定手段、前記登録電話番号判定手段によって前記発信者番号と前記登録電話番号とが合致すると判定されると、発信先の前記医療機関に対し、前記医療情報の配信を求める前記登録者に対応する前記識別記号の入力を促す音声メッセージを再生するメッセージ再生手段、前記音声メッセージに応答し、前記電話回線を通じて入力された前記識別記号が前記登録者情報データベースの前記登録者情報と合致するか否かを判定する識別記号判定手段、前記識別記号判定手段によって前記識別番号に該当する前記登録者が含まれていると判定されると、前記医療機関から架けられた通話を終了する通話終了手段、前記識別番号に該当する前記登録者の医療情報を前記医療情報データベースから抽出する医療情報抽出手段、及び抽出した前記医療情報を配信先の前記医療機関に係る前記配信先ファクシミリ番号に前記電話回線を通じて配信する医療情報配信手段として、配信管理サーバを機能させる」ものから主に構成されている。
【００２２】
さらに、本発明にかかる医療情報配信プログラムは、上記構成に加え、「前記識別記号判定手段によって前記識別記号に該当する前記登録者が含まれていると判定されると、所望の前記医療情報の選択に係る入力を前記医療機関に対して要求する選択要求手段、前記医療機関から送出された前記医療情報の選択に係る選択信号を受付ける選択信号受付手段、及び前記医療情報を前記選択信号に従って配信する選択配信手段として、前記配信管理サーバをさらに機能させる」ものであっても構わない。
【００２３】
したがって、本発明の医療情報配信プログラムによれば、上記プログラムを実行することにより、配信管理サーバは上述した医療情報をファクシミリにより配信する作用を奏することが可能となる。
【発明の効果】
【００２４】
本発明の効果として、複数の医療機関で実施した医学的検査に係る検査結果や検査履歴等の医療情報を共有化し、同一の医学的検査をほぼ同時期に実施するような検査に係る無駄を解消することができる。さらに、発信者番号通知システムを利用し、配信先を特定し、かつ予め登録した配信先にしか医療情報を配信することができないため、かかる医療情報が不用意に外部に漏出するような事態を避けることができる。
【発明を実施するための最良の形態】
【００２５】
以下、本発明の一実施形態である医療情報配信システム１について、図１乃至図７に基づいて説明する。ここで、図１は本実施形態の医療情報配信システム１の概略構成を示す説明図であり、図２は医療情報配信システム１に使用される配信管理サーバ２の機能的構成を示すブロック図であり、図３乃至図５は配信管理サーバ２の処理の流れを示すフローチャートであり、図６及び図７は配信管理サーバ２によって配信された医療情報３の出力の一例を示す説明図である。
【００２６】
本実施形態の医療情報配信システム１は、図１に主として示すように、複数の医療機関４ａ，４ｂ，４ｃ，４ｄから検査業務の委託を受ける健康管理センター５に設置され、本システムの管理及び運営を行う配信管理サーバ２と、医療機関４ａ等にそれぞれ設置され、一般の電話回線Ｌを通じて接続された電話機７及びファクシミリ８とによって構成されている。
【００２７】
ここで、本実施形態の医療情報配信システム１を利用する前提として、予め健康管理センター５から各医療機関４ａ等に対し、当該医療機関４ａ等を受診した患者を登録者９として登録するための６桁の数字からなる管理番号１０（識別記号に相当）が記載された登録者カード１１が配布されている。そして、医療機関４ａ等では、患者に対し、該登録者カード１１を与え、その患者の氏名、性別、生年月日、住所、及び電話番号等の個人情報を管理番号１０に対応させて、健康管理センター５に対して所定の様式に従って提出する。そして、健康管理センター５は、各医療機関４ａ等から送られた、患者を登録者９として登録するための登録者情報１３を配信管理サーバ２に入力し、登録者情報データベース１４に登録する。これにより、配信管理サーバ２には、多数の登録者９の登録者情報１３が蓄積されることになる。
【００２８】
一方、各医療機関４ａ等は、本システムを利用する前提として、さらに医療機関名、登録電話番号、及び配信先ファクシミリ番号等を少なくとも含む医療機関情報１２を、各医療機関４ａ等毎に付された医療機関コードとともに配信管理サーバ２の医療機関情報データベース１６に登録しておく必要がある。
【００２９】
そして、登録者９が、医療機関情報１２が登録されたいずれかの医療機関４ａ等を受診し、医学的検査を受けた場合、検査業務を委託された健康管理センター５では、検査結果に係る医療情報３を登録者９の管理番号１０に対応させ、医療情報データベース１８に記憶する。これにより、登録者９が複数の医療機関４ａ等で診察を受け、それぞれで医学的検査を受けた場合であっても検査結果に係る医療情報３が配信管理サーバ２に集積され、記憶されるため、登録者９に係る医療情報３が統合される。なお、十分な検査設備を有する大規模の総合病院４ｄなどの医療機関は、自らの検査設備を用いて実施した医学的検査に係る検査結果を医療情報３として健康管理センター５に提供するものであってもよい。これにより、配信管理サーバ２には、複数の登録者９が異なる医療機関４ａ等で受けた医療情報３を漏れなく蓄積することができる。なお、登録者９に係る医療情報３は、検査結果や既往歴等の重要な個人情報であり、患者自身が本システムの利用を拒み、医療情報３を配信管理サーバ２に蓄積することを望まない場合は、医療機関４ａ等での登録者カード１１の配布及び登録作業を行わないことも可能である。
【００３０】
次に、本実施形態の医療情報配信システム１に係る配信管理サーバ２の機能的構成について、主に図２に基づいて説明する。ここで、配信管理サーバ２は、その機能的構成として、管理番号１０に対応させた個人情報を含む登録者９の登録者情報１３を登録者情報データベース１４に記憶し、複数の医療機関４ａ等に係る医療機関情報１２を医療機関情報データベース１６に記憶し、さらに登録者９が過去に各医療機関４ａ等で受けた医学的検査の検査結果及び検査履歴等に係る医療情報３を集積し、管理番号１０に対応させて医療情報データベース１８に記憶する記憶手段１５と、医療機関４ａ等からの発信者番号通知を伴う架電を、電話回線Ｌを通じて受付けるとともに、通知された発信者番号が医療機関情報１２に予め登録された登録電話番号と合致するか否かを判定する登録電話番号判定手段２０と、発信者番号と登録電話番号とが合致すると、発信先の医療機関（例えば、医療機関４ａ）に対し、医療情報３の配信を求める登録者９に対応する管理番号１０の入力を促す音声メッセージ（例えば、「６桁の管理番号を入力し、＃を押してください」など）を再生するメッセージ再生手段２３と、係る音声メッセージに応答し、電話回線Ｌを通じて入力された管理番号１０が登録者情報データベース１４に記憶された登録者情報１３と合致するか否かを判定する管理番号特定手段２１と、管理番号１０に該当する登録者９が含まれていると判定されると、複数の中から配信する医療情報３の選択を要求する選択要求手段２２と、医療機関４ａから送出された医療情報３の選択を指定する選択信号２４を受付ける選択信号受付手段２５と、発信先の医療機関４ａからの架電を切断し、通話を終了する通話終了手段２６と、受付けた選択信号２４に基づいて、管理番号１０に対応し、かつ選択された登録者９の医療情報３を医療情報データベース１８から抽出する医療情報抽出手段２７と、抽出した医療情報３を配信先ファクシミリ番号に電話回線Ｌを通じて配信する選択配信手段２８とを主に具備して構成されている。ここで、記憶手段１５が本発明における登録情報記憶手段、医療機関情報記憶手段、及び医療情報記憶手段に相当し、管理番号判定手段２１が本発明における識別記号判定手段に相当し、選択配信手段２８が本発明における医療情報配信手段の一部機能に相当する。
【００３１】
加えて、配信管理サーバ２は、電話回線Ｌと接続し、医療機関４ａ等からの架電を受付け、さらに管理番号１０或いは選択信号２４を受付けるとともに、医療機関４ａ等に対して医療情報３をファクシミリによって配信するための種々の信号制御を行う通信制御手段２９を備えている。また、医療機関４ａ等からの架電に対し、管理番号１０や選択信号２４の入力を促したり、発信者番号通知でない場合或いは入力ミスなどに対し、エラーメッセージなどの音声で応答するための音声データ３０が記憶手段１５の応答音声データベース３１に記憶されている。さらに、記憶手段１５には、医療情報３の配信に係る配信履歴を示す配信履歴データ３２も記憶されている。ここで、配信管理サーバ２は、汎用のパーソナルコンピュータを利用することが可能であり、記憶手段１５として機能するハードディスクドライブ、通信制御手段２９として機能するモデム、及び管理番号１０を判定する管理番号判定手段２１等の種々の判定処理、抽出処理、及び配信制御処理等を行う中央演算装置（ＣＰＵ）等を具備して構成されている。なお、図２等には図示しないが、各種表示を行うディスプレイ等の表示機器及び操作・入力に係るキーボード等の操作入力機器も配信管理サーバ２は備えている。
【００３２】
次に、本実施形態の医療情報配信システム１の具体的な医療情報３の配信例について、図３乃至図６に示すフローチャートに基づいて主に説明する。ここで、図３乃至図６は配信管理サーバ２の処理の流れを示すフローチャートであり、図３乃至図５のステップＳ１からステップＳ３２が本発明の医療情報配信プログラムに相当する。ここで、図３乃至図６は、以前の別の医療機関（例えば、医療機関４ｂ）を受診し、医学的検査を受けるとともに、登録者カード１１の配布を受けた登録者９が、他の医療機関（ここでは、医療機関４ａ）で診察を受ける際に、医師等に登録者カード１１を提示し、その後、登録者カード１１の提示を受けた医師等は、本システムを利用して当該登録者９が過去に受けた医学的検査の検査結果や検査履歴等を入手しようとする場合の流れを想定し、説明を行うものとする。
【００３３】
まず、配信管理サーバ２は、予め登録された複数の医療機関４ａ等からの電話回線Ｌを通じた架電の有無を検出する（ステップＳ１）。ここで、上述した登録者カード１１の提示を受けた医療機関４ａは、医師又は看護士等の当該機関のスタッフによって、健康管理センター５によって指定された本システムを利用するための指定電話番号に通常の電話機７を用いて架電を行う。そして、医療機関４ａ等からの架電が検出されると（ステップＳ１においてＹＥＳ）、配信管理サーバ２は、当該架電が発信先番号の通知のあるものか否かについての判定を行う（ステップＳ２）。一方、医療機関４ａ等からの架電がない場合（ステップＳ１においてＮＯ）、ステップＳ３１の処理に移る。
【００３４】
ここで、発信者番号通知とは、発信先の電話番号を通話先の相手に受話器を取る前に表示可能にするものであり、現在では一般に利用されているシステムの一つである。そして、係る架電が発信者番号通知を伴うものである場合（ステップＳ２においてＹＥＳ）、通知された発信先番号が、配信管理サーバ２の医療情報データベース１８に記憶された医療機関情報１２に含まれる医療機関４ａの登録電話番号に一致するか否かを判定する（ステップＳ３）。一方、発信者番号通知がされていない架電の場合（ステップＳ２においてＮＯ）、発信者番号通知がされていない架電に対しては受付けない旨のエラーメッセージ（例えば、「発信者番号通知のない通話はお受けできません」など）を発信先に対して再生し（ステップＳ４）、その後、係る通話の回線を切断し、通話を終了する（ステップＳ５）。ここで、再生するエラーメッセージは、前述したように、記憶手段１５の応答音声データベース３１に記憶された中の一つの音声データ３０を利用するものである。
【００３５】
その後、発信者番号通知が登録電話番号と一致する場合（ステップＳ３においてＹＥＳ）、”Ｆ＝０”を与え（ステップＳ６）、さらに発信先の医療機関４ａに対して、配信を要求する医療情報３の登録者９の６桁の管理番号１０の入力を要求する（ステップＳ９）。この入力の要求は、前述したエラーメッセージと同様に記憶手段１５に音声データ３０として記憶されたものを用いる（例えば、「管理番号を入力してください」など）。これにより、発信者番号通知によって登録された医療機関４ａ等かそれ以外の発信かを判断し、当該医療機関４ａ等を認証することが行える。さらに、係る認証のち、管理番号１０の入力を要求することにより、配信する医療情報３の登録者９の特定が可能となる。
【００３６】
一方、発信者番号と登録電話番号とが一致しない場合（ステップＳ３においてＮＯ）、発信者番号が医療機関情報１２に登録されていない旨に係るエラーメッセージを記憶手段１５に記憶された音声データ３０に基づいて再生し（ステップＳ７）、その後、かかる通話の回線を切断し、通信を終了する（ステップＳ８）。
【００３７】
その後、発信先から登録者９に係る管理番号１０の入力があると（ステップＳ１０においてＹＥＳ）、係る管理番号１０の入力を、電話回線Ｌを通じて受付ける（ステップＳ１１）。一方、管理番号１０の入力がない場合（ステップＳ１０においてＮＯ）、ステップＳ１０に戻り、管理番号１０が入力されるまで継続する。ここで、管理番号１０は、電話機７の数字ボタンを押すことによって入力がなされる。
【００３８】
その後、配信管理サーバ２で受付けた管理番号１０が、予め登録された登録者９のものと一致する場合（ステップＳ１２において（ＹＥＳ）、該当する登録者９の医療情報３が医療情報データベース１８に存在するかの確認処理を行う（ステップＳ１３）。一方、一致しない場合（ステップＳ１２においてＮＯ）、”Ｆ＝Ｆ＋１”を与え（ステップＳ１４）、そして、Ｆの値が加算された後に、”Ｆ≧３？”か否かの安定を行う（ステップＳ１５）。ここで、”Ｆ≧３”を満たす場合（ステップＳ１５においてＹＥＳ）、換言すると、三回連続で管理番号１０の入力を間違えた場合、音声データ３０によるエラーメッセージを再生し（ステップＳ１６）、その後、医療機関４ａ等からの架電を切断し、終了する（ステップＳ１７）。
【００３９】
一方、”Ｆ≧３”の条件を満たさない場合（ステップＳ１５においてＮＯ）、医療機関４ａ等に対して管理番号１０の再入力を促すメッセージを音声データ３０に従って再生し、ステップＳ１２に戻り、管理番号１０の登録の可否に係る処理を継続する。すなわち、”Ｆ”の値は、管理番号１０の入力をミスした場合、３回までは管理番号１０の入力のやり直しを許容するものであり、それ以上の回数の入力は拒否するものである。すなわち、管理番号１０の入力は、本人を認証するとともに、システムへの複数回にわたる不正なアクセスを防止することが可能となる。
【００４０】
その後、登録者９に係る医療情報３を配信管理サーバ２の記憶手段１５の中から抽出し、該当する登録者９の医療情報３が存在する場合（ステップＳ１９においてＹＥＳ）、医療機関４ａに対し、配信する医療情報３を選択するか否かのメッセージを音声データ３０に基づいて再生する（ステップＳ２０）。一方、該当する医療情報３がない場合（ステップＳ１９においてＮＯ）、ステップＳ３１の処理に移る。
【００４１】
このとき、選択指定に係るメッセージに対応し、医療機関４ａ等から配信する医療情報３を選択し、指定する選択信号２４の送信がある場合（ステップＳ２１においてＹＥＳ）、”Ｇ＝１”を与え、一方、医療情報３の指定がない場合（ステップＳ２１においてＮＯ）、”Ｇ≠１”を与える。ここで、選択信号２４の入力の一例としては、例えば、ステップＳ１９における選択をするか否かのメッセージの再生の際に、選択の指定をする場合は、”１＃”、一方、選択の指定しない場合は”２＃”のようなボタン操作を行う、一般的な電話の自動応答サービスで用いられる手法などを採用することが可能である。そして、医療機関４ａ等の電話機７から”１＃”または”２＃”のボタン操作に応じて電気化した選択信号２４が電話回線Ｌを通じて配信管理サーバ２に送出される。その結果、該当する医療情報３の数が膨大な場合には、”直近の５件分の医療情報”或いは”過去１年間の医療情報”のように機関等を限定するなどの選択を行うことにより、真に必要な医療情報３のみを配信することが可能となる。その結果、配信管理サーバ２では膨大な数の医療情報３の抽出をすることがなく、また配信に係る通話接続時間も大幅に短縮することが可能となり、配信管理サーバ２の処理能力に負担をかけることなく、また電話回線Ｌを使用する通信コストを削減することが可能となる。さらに、医療機関４ａ等の医師などの当該医療情報３を必要とする人々にとっても目的の情報をすぐに探し出すことができ、特に有用と思われる。
【００４２】
その後、架電を切断し、通話を終了する（ステップＳ２４）。そして、配信管理サーバ２は”Ｇ”の値を判定する（ステップＳ２５）。ここで、”Ｇ＝１”の場合（ステップＳ２５においてＹＥＳ）、換言すれば、配信する医療情報３を選択する指定があった場合、選択信号２４に基づいて指定された医療情報３のみを抽出（ステップＳ２６）し、発信先の医療機関４ａ等が予め登録した医療機関情報１２に含まれる配信先ファクシミリ番号に対し、電話回線Ｌを通じてファクシミリによる配信を行う（ステップＳ２８：図６及び図７参照）。一方、”Ｇ≠１”の場合（ステップＳ２５においてＮＯ）、換言すれば、医療情報３の選択がなかった場合、当該管理番号１０に対応する登録者９について医療情報データベース１７に記憶された全ての医療情報３を抽出し（ステップＳ２７）、、発信先の医療機関４ａ等が予め登録した医療機関情報１２に含まれる配信先ファクシミリ番号に対し、電話回線Ｌを通じてファクシミリによる配信を行う（ステップＳ２８：図６及び図７参照）。ここで、図６及び図７は、配信された医療情報３を、ファクシミリ８を利用して紙媒体に出力した結果を示すものであり、各検査項目に対する値及び検査実施の時期等の情報が出力される。その結果、医師等は係る医療情報３を確認しながら、実施する医学的検査の選択や既往歴等を正確に把握することができる。
【００４３】
その後、選択または全ての医療情報３の配信が完了すると（ステップＳ２９においてＹＥＳ）、医療機関４ａ等のファクシミリ８と接続されている電話回線Ｌを切断し、医療情報３の配信を完了する（ステップＳ３０）。一方、未配信の医療情報３が存在し、配信が完了していない場合（ステップＳ２９においてＮＯ）、ステップＳ２８の処理に戻り、医療情報３の配信を継続する。
【００４４】
その後、本システムを終了する旨の指示の有無を検出し（ステップＳ３１）、終了する指示がある場合（ステップＳ３１においてＹＥＳ）、システムを終了する（ステップＳ３２）。一方、係る指示がない場合（ステップＳ３１においてＮＯ）、ステップＳ１の処理に戻り、新たなに医療機関４ａ等からの架電があるまで処理を継続する。
【００４５】
以上、説明したように、本実施形態の医療情報配信システム１は、医療機関４ａ等に設置された電話機７及びファクシミリ８を利用し、登録者３の医療情報３を配信することができる。特に、医療機関４ａ等にとっては、既存の機器を利用するため、新規な設備投資を行うことが必要なく、またインターネットを通じたデータの送信のように、パーソナルコンピュータの複雑な操作を必要とすることがない。そのため、かかる情報通信機器の不慣れな医師等であっても、管理番号１０を入力する簡単な操作によって、所望の医療情報３を取り出すことが可能となる。
【００４６】
さらに、複数の医療機関４ａ等での医学的検査の検査結果等に係る医療情報３が配信管理サーバ２に集積され、各医療機関４ａ等でかかる情報を共有化することが可能なため、同様の医学的検査を重複して実施するような無駄を解消することができる。また、過去の検査履歴等を時系列的に示すことが可能であるため、過去から現在に至るまでの症状の改善や悪化（数値の変化）等を把握することが可能となり、治療方針の選定に大きく寄与することができる。
【００４７】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４８】
すなわち、本実施形態の医療情報配信システム１において、配信管理サーバ２を設置し、管理及び運営する組織として健康管理センター５のような検査機関を例示して示したがこれに限定されるものではなく、検査業務の受託する検査機関でない独立した組織に設置するものであっても構わない。しかしながら、多数の医療情報３を集積し、データベースに記憶するために係る検査機関を選定することは、特に好適と思われる。
【００４９】
また、識別記号として、６桁の数字からなる管理番号１０を利用するものを示したがこれに限定されるものではなく、英字または英字及び数字の組合わせなどからなるものであっても構わない。しかしながら、電話機７からの入力を勘案すると、数字のみで識別記号を構成するものが操作性の点から好適と思われる。
【図面の簡単な説明】
【００５０】
【図１】本実施形態の医療情報配信システムの概略構成を示す説明図である。
【図２】医療情報配信システムに使用される配信管理サーバの機能的構成を示す説明図である。
【図３】配信管理サーバの処理の流れを示すフローチャートである。
【図４】配信管理サーバの処理の流れを示すフローチャートである。
【図５】配信管理サーバの処理の流れを示すフローチャートである。
【図６】配信管理サーバによって配信される医療情報の出力の一例を示す説明図である。
【図７】配信管理サーバによって配信される医療情報の出力の一例を示す説明図である。
【符号の説明】
【００５１】
１  医療情報配信システム
２  配信管理サーバ
３  医療情報
４ａ，４ｂ，４ｃ  医療機関
４ｄ  総合病院（医療機関）
７  電話機
８  ファクシミリ
９  登録者
１０  管理番号（識別記号）
１２  医療機関情報
１３  登録者情報
１４  登録者情報データベース
１５  記憶手段（登録者情報記憶手段、医療機関情報記憶手段、医療情報記憶手段）
１６  医療機関情報データベース
１８  医療情報データベース
２０  登録電話番号判定手段
２１  管理番号特定手段（識別記号特定手段）
２３  メッセージ再生手段
２４  選択信号
２５  選択信号受付手段
２６  通話終了手段
２７  医療情報抽出手段
２８  選択配信手段（医療情報配信手段）
Ｌ  電話回線
【図１】
2007179117.tif 000004
【図２】
2007179117.tif 000005
【図３】
2007179117.tif 000006
【図４】
2007179117.tif 000007
【図５】
2007179117.tif 000008
【図６】
2007179117.tif 000009
【図７】
2007179117.tif 000010